(57)【要約】【課題】沼地や湿地帯などの軟弱地盤における各種の簡易構造物の基礎として、重機を使用することなく現場での施工が容易であって、自然環境に与える負荷を最小限にとどめるとともに、安定した支持力を得ることができる基礎杭及び杭基礎の構造を提供することを目的とする。【解決手段】長手方向の中間部１１が断面六角形状に形成された中心杭２と、上面が中心杭から離反する方向で、かつ、中心杭２の先端部９と同一方向に所定角度で傾斜するように中心杭２の相互に隣接しない中間部周面にそれぞれ固着された３つのガイド部材６，７，８と、それぞれのガイド部材６，７，８に案内されて中心杭２から離反する方向で、かつ、中心杭２の先端部９と同一方向に所定角度で斜設されるとともに中心杭２の相互に隣接しない中間部周面に固着された３本の支持杭３，４，５とからなる基礎杭及び杭基礎の構造を提供する。【選択図】図１
2010248762.tif 000002
【特許請求の範囲】
【請求項１】
角柱状の中心杭と、中心杭の周部に固着されるとともに、中心杭から離反する方向で、かつ、中心杭の先端部と同一方向に所定角度で斜設された支持杭とからなることを特徴とする基礎杭。
【請求項２】
角柱状の中心杭と、上面が中心杭から離反する方向で、かつ、中心杭の先端部と同一方向に所定角度で傾斜するように中心杭の周部に固着されたガイド部材と、ガイド部材に案内されて中心杭から離反する方向で、かつ、中心杭の先端部と同一方向に所定角度で斜設されるとともに中心杭の中間部周面に固着された支持杭とからなることを特徴とする基礎杭。
【請求項３】
長手方向の中間部が断面角形状に形成された中心杭と、中心杭の中間部周面に固着されるとともに、中心杭から離反する方向で、かつ、中心杭の先端部と同一方向に所定角度で斜設された支持杭とからなることを特徴とする基礎杭。
【請求項４】
長手方向の中間部が断面角形状に形成された中心杭と、上面が中心杭から離反する方向で、かつ、中心杭の先端部と同一方向に所定角度で傾斜するように中心杭の中間部周面に固着されたガイド部材と、ガイド部材に案内されて中心杭から離反する方向で、かつ、中心杭の先端部と同一方向に所定角度で斜設されるとともに中心杭の中間部周面に固着された支持杭とからなることを特徴とする基礎杭。
【請求項５】
長手方向の中間部が断面六角形状に形成された中心杭と、中心杭の相互に隣接しない中間部周面にそれぞれ固着されるとともに、中心杭から離反する方向で、かつ、中心杭の先端部と同一方向に所定角度で斜設された３本の支持杭とからなることを特徴とする基礎杭。
【請求項６】
長手方向の中間部が断面六角形状に形成された中心杭と、上面が中心杭から離反する方向で、かつ、中心杭の先端部と同一方向に所定角度で傾斜するように中心杭の相互に隣接しない中間部周面にそれぞれ固着された３つのガイド部材と、それぞれのガイド部材に案内されて中心杭から離反する方向で、かつ、中心杭の先端部と同一方向に所定角度で斜設されるとともに中心杭の相互に隣接しない中間部周面に固着された３本の支持杭とからなることを特徴とする基礎杭。
【請求項７】
中心杭の上端部を断面四角形状に形成した請求項５又は６記載の基礎杭。
【請求項８】
３本の支持杭が平面視において等間隔に配置されている請求項５，６又は７記載の基礎杭。
【請求項９】
３本の支持杭の中心杭に対する配置角度を同一とした請求項５，６，７又は８記載の基礎杭。
【請求項１０】
中心杭の先端部方向への支持杭の配置角度を中心杭に対して略３０度とした請求項１，２，３，４，５，６，７，８又は９記載の基礎杭。
【請求項１１】
設置地盤の鉛直方向に角柱状の中心杭を打設した後、中心杭から離反する方向で、かつ、中心杭の先端部と同一方向に向けて支持杭を設置地盤に斜設するとともに、支持杭を中心杭の周部に固着したことを特徴とする杭基礎の構造。
【請求項１２】
設置地盤の鉛直方向に角柱状の中心杭を打設した後、上面が中心杭から離反する方向で、かつ、中心杭の先端部と同一方向に向けて所定角度で傾斜するように中心杭の周部に固着されたガイド部材に案内されて、中心杭から離反する方向で、かつ、中心杭の先端部と同一方向に向けて支持杭を斜設するとともに、支持杭を中心杭の周部に固着したことを特徴とする杭基礎の構造。
【請求項１３】
設置地盤の鉛直方向に、長手方向の中間部が断面角形状に形成された中心杭を打設した後、中心杭から離反する方向で、かつ、中心杭の先端部と同一方向に向けて支持杭を設置地盤に斜設するとともに、支持杭を中心杭の中間部周面に固着したことを特徴とする杭基礎の構造。
【請求項１４】
設置地盤の鉛直方向に、長手方向の中間部が断面角形状に形成された中心杭を打設した後、上面が中心杭から離反する方向で、かつ、中心杭の先端部と同一方向に向けて所定角度で傾斜するように中心杭の中間部周面に固着されたガイド部材に案内されて、中心杭から離反する方向で、かつ、中心杭の先端部と同一方向に向けて支持杭を斜設するとともに、支持杭を中心杭の中間部周面に固着したことを特徴とする杭基礎の構造。
【請求項１５】
設置地盤の鉛直方向に、長手方向の中間部が断面六角形状に形成された中心杭を打設した後、中心杭から離反する方向で、かつ、中心杭の先端部と同一方向に向けて３本の支持杭を設置地盤に所定角度で斜設するとともに、３本の支持杭をそれぞれ中心杭の相互に隣接しない中間部周面に固着したことを特徴とする杭基礎の構造。
【請求項１６】
設置地盤の鉛直方向に、長手方向の中間部が断面六角形状に形成された中心杭を打設した後、上面が中心杭から離反する方向で、かつ、中心杭の先端部と同一方向に向けて所定角度で傾斜するように中心杭の相互に隣接しない中間部周面にそれぞれ固着された３つのガイド部材に案内されて、中心杭から離反する方向で、かつ、中心杭の先端部と同一方向に向けて支持杭を所定角度で斜設するとともに、３本の支持杭をそれぞれ中心杭の相互に隣接しない中間部周面に固着したことを特徴とする杭基礎の構造。
【請求項１７】
中心杭の上端部を断面四角形状に形成した請求項１５又は１６記載の杭基礎の構造。
【請求項１８】
３本の支持杭が平面視において等間隔に配置されている請求項１５，１６又は１７記載の杭基礎の構造。
【請求項１９】
３本の支持杭の中心杭に対する配置角度を同一とした請求項１５，１６，１７又は１８記載の杭基礎の構造。
【請求項２０】
中心杭の先端部方向への支持杭の配置角度を中心杭に対して略３０度とした請求項１１，１２，１３，１４，１５，１６，１７，１８又は１９記載の杭基礎の構造。
【発明の詳細な説明】
【技術分野】
【０００１】
本発明は土木建築における各種の簡易構造物の基礎として、沼地や湿地帯などの軟弱地盤であっても重機を使用することなく設置することが可能な基礎杭及び杭基礎の構造に関するものである。
【背景技術】
【０００２】
従来、沼地や湿地帯などの軟弱地盤に木道，八ツ橋や防護柵などの各種の簡易構造物を構築するに際しては、木製や鋼製の１本杭等の伝統的な杭を打設する杭基礎が使用されている。更に、必要に応じて置換工法や締固め工法等の地盤改良を併用することも行われている。
【０００３】
また、地盤改良を伴うことなく、簡便に施工できる構造物の基礎として、地中に場所打ち杭を鉛直及び斜めに打設して構築した鉛直部材と斜め部材とによる構造体の上部に水平部材を架設してトラス構造体として形成した構造物の基礎も提供されている（特許文献１）。或いは、地震によって液状化を起こすような軟弱地盤に対しても施工が容易なように、内部に引張材を有する３本以上の中空斜杭による直線多角形の錐体を地盤内で構成して斜杭の先端部で引張材を固定し、錐体の頂部をもって支持体とする基礎工法も提供されている（特許文献２）。
【先行技術文献】
【特許文献】
【０００４】
【特許文献１】特開平９−７１９５０号
【特許文献２】特開平８−３３３７３３号
【発明の概要】
【発明が解決しようとする課題】
【０００５】
しかしながら、従来の１本杭等の伝統的な杭では必要な支持力を得るために、杭の長さや径を大きくするか、打設する本数を増やす必要があり、施工が煩雑となって工期が長くなり、施工費用も増加してしまう。また、杭が大きくなると重機を使用して打設する必要があり、公園内の湿地帯等における作業では環境に負荷を与えることとなる。更に、鋼製の杭は杭そのものが高額である。一方、特許文献１に示すようなトラス構造体を使用する基礎は、沼地や湿地帯などの軟弱地盤の現場においてトラス構造体を構築しなければならず、施工が複雑となる。更に、特許文献２に示すような基礎工法も、構造が複雑であり、木道，八ツ橋や防護柵などの各種の簡易構造物の基礎としては適していない。
【０００６】
そこで、発明者らは主として沼地や湿地帯などの軟弱地盤における各種の簡易構造物の基礎として、重機を使用することなく現場での施工が容易であって、自然環境に与える負荷を最小限にとどめるとともに、安定した支持力を得ることができる基礎杭及び杭基礎の構造を提供することを目的としている。
【課題を解決するための手段】
【０００７】
本発明はその目的を達成するために、角柱状の中心杭と、中心杭の周部に固着されるとともに、中心杭から離反する方向で、かつ、中心杭の先端部と同一方向に所定角度で斜設された支持杭とからなる基礎杭、及び角柱状の中心杭と、上面が中心杭から離反する方向で、かつ、中心杭の先端部と同一方向に所定角度で傾斜するように中心杭の周部に固着されたガイド部材と、ガイド部材に案内されて中心杭から離反する方向で、かつ、中心杭の先端部と同一方向に所定角度で斜設されるとともに中心杭の中間部周面に固着された支持杭とからなる基礎杭を基本として提供する。
【０００８】
また、長手方向の中間部が断面角形状に形成された中心杭と、中心杭の中間部周面に固着されるとともに、中心杭から離反する方向で、かつ、中心杭の先端部と同一方向に所定角度で斜設された支持杭とからなる基礎杭、及び長手方向の中間部が断面角形状に形成された中心杭と、上面が中心杭から離反する方向で、かつ、中心杭の先端部と同一方向に所定角度で傾斜するように中心杭の中間部周面に固着されたガイド部材と、ガイド部材に案内されて中心杭から離反する方向で、かつ、中心杭の先端部と同一方向に所定角度で斜設されるとともに中心杭の中間部周面に固着された支持杭とからなる基礎杭を提供する。
【０００９】
更に、長手方向の中間部が断面六角形状に形成された中心杭と、中心杭の相互に隣接しない中間部周面にそれぞれ固着されるとともに、中心杭から離反する方向で、かつ、中心杭の先端部と同一方向に所定角度で斜設された３本の支持杭とからなる基礎杭、及び長手方向の中間部が断面六角形状に形成された中心杭と、上面が中心杭から離反する方向で、かつ、中心杭の先端部と同一方向に所定角度で傾斜するように中心杭の相互に隣接しない中間部周面にそれぞれ固着された３つのガイド部材と、それぞれのガイド部材に案内されて中心杭から離反する方向で、かつ、中心杭の先端部と同一方向に所定角度で斜設されるとともに中心杭の相互に隣接しない中間部周面に固着された３本の支持杭とからなる基礎杭を提供する。
【００１０】
そして、設置地盤の鉛直方向に角柱状の中心杭を打設した後、中心杭から離反する方向で、かつ、中心杭の先端部と同一方向に向けて支持杭を設置地盤に斜設するとともに、支持杭を中心杭の周部に固着した杭基礎の構造、及び設置地盤の鉛直方向に角柱状の中心杭を打設した後、上面が中心杭から離反する方向で、かつ、中心杭の先端部と同一方向に向けて所定角度で傾斜するように中心杭の周部に固着されたガイド部材に案内されて、中心杭から離反する方向で、かつ、中心杭の先端部と同一方向に向けて支持杭を斜設するとともに、支持杭を中心杭の周部に固着した杭基礎の構造を提供する。
【００１１】
また、設置地盤の鉛直方向に、長手方向の中間部が断面角形状に形成された中心杭を打設した後、中心杭から離反する方向で、かつ、中心杭の先端部と同一方向に向けて支持杭を設置地盤に斜設するとともに、支持杭を中心杭の中間部周面に固着した杭基礎の構造、及び設置地盤の鉛直方向に、長手方向の中間部が断面角形状に形成された中心杭を打設した後、上面が中心杭から離反する方向で、かつ、中心杭の先端部と同一方向に向けて所定角度で傾斜するように中心杭の中間部周面に固着されたガイド部材に案内されて、中心杭から離反する方向で、かつ、中心杭の先端部と同一方向に向けて支持杭を斜設するとともに、支持杭を中心杭の中間部周面に固着した杭基礎の構造を提供する。
【００１２】
更に、設置地盤の鉛直方向に、長手方向の中間部が断面六角形状に形成された中心杭を打設した後、中心杭から離反する方向で、かつ、中心杭の先端部と同一方向に向けて３本の支持杭を設置地盤に所定角度で斜設するとともに、３本の支持杭をそれぞれ中心杭の相互に隣接しない中間部周面に固着した杭基礎の構造、及び設置地盤の鉛直方向に、長手方向の中間部が断面六角形状に形成された中心杭を打設した後、上面が中心杭から離反する方向で、かつ、中心杭の先端部と同一方向に向けて所定角度で傾斜するように中心杭の相互に隣接しない中間部周面にそれぞれ固着された３つのガイド部材に案内されて、中心杭から離反する方向で、かつ、中心杭の先端部と同一方向に向けて支持杭を所定角度で斜設するとともに、３本の支持杭をそれぞれ中心杭の相互に隣接しない中間部周面に固着した杭基礎の構造を提供する。
【００１３】
そして、中心杭の上端部を断面四角形状に形成し、３本の支持杭が平面視において等間隔に配置され、３本の支持杭の中心杭に対する配置角度を同一とし、中心杭の先端部方向への支持杭の配置角度を中心杭に対して略３０度とした。
【発明の効果】
【００１４】
上記した構成の本発明によれば、中心杭は支持地盤の深さまで打設する必要がないため、中心杭の打設が容易であり、又中心杭をガイドとして利用して支持杭を打設することができる。そのため、支持杭の打設も容易となるとともに、支持杭が中心杭を介して一体として結合されるいるため、打設に際して重機を使用することなく、人力や軽機械での打込み作業が可能で現場での施工が容易である。よって、自然環境に与える負荷を最小限にとどめるとともに、安定した支持力を得ることができる。そのため、主として沼地や湿地帯などの軟弱地盤における各種の簡易構造物の基礎として最適である。また、基礎杭の素材として間伐材を有効利用した木製の杭を使用することが可能であり、環境に配慮するとともに、現地での加工が容易といった特徴がある。
【図面の簡単な説明】
【００１５】
【図１】本発明にかかる基礎杭の構造の実施形態を示す全体斜視図。
【図２】本発明にかかる基礎杭の構造の実施形態を示す全体正面図。
【図３】本発明にかかる基礎杭の構造の実施形態を示す全体平面図。
【図４】中心杭の斜視図。
【図５】中心杭の正面図。
【図６】中心杭の平面図。
【図７】中心杭の底面図。
【図８】中心杭の側面図。
【図９】図５の中央縦断面図。
【図１０】図５のＡ−Ａ断面図。
【図１１】図５のＢ−Ｂ断面図。
【図１２】図６のＣ矢視図。
【図１３】図６のＤ矢視図。
【図１４】ガイド部材を装着した中心杭の斜視図。
【図１５】ガイド部材を装着した中心杭の正面図。
【図１６】ガイド部材を装着した中心杭の平面図。
【図１７】図１６のＥ矢視図。
【図１８】図１６のＦ矢視図。
【図１９】（Ａ）はガイド部材の正面図、（Ｂ）は側面図、（Ｃ）は平面図。
【図２０】支持杭を固着した中心杭の斜視図。
【図２１】支持杭を固着した中心杭の正面図。
【図２２】支持杭を固着した中心杭の右側面図。
【図２３】支持杭を固着した中心杭の平面図。
【図２４】図２１のＧ−Ｇ断面図。
【図２５】支持杭を固着した中心杭の要部右側面図。
【図２６】中心杭に支持杭を固着した図１６のＥ矢視図。
【図２７】中心杭に支持杭を固着した図１６のＦ矢視図。
【図２８】（Ａ）は支持杭の正面図、（Ｂ）は平面図、（Ｃ）は底面図。
【図２９】基礎杭の使用例を示す正面図。
【図３０】基礎杭の使用例を示す側面図。
【図３１】基礎杭の使用例を示す平面図。
【図３２】基礎杭を使用して構築した木道の完成図。
【発明を実施するための形態】
【００１６】
以下図面に基づいて本発明の実施形態を説明する。図１は本発明にかかる基礎杭１の実施形態を示す全体斜視図、図２は正面図、図３は平面図である。図に示すように基礎杭１は、角柱状の中心杭２と、中心杭２の周部に固着される３本の支持杭３，４，５と、支持杭３，４，５のガイド部材６，７，８とから構成されている。この基礎杭１を設置地盤に打設した杭構造は、図２に示すように、３本の支持杭３，４，５の中心杭２への固着部分から上の部分が地面ＧＬより露出した状態で基礎として利用される。
【００１７】
先ず中心杭２の構成について、図４〜図１３に基づいて説明する。図４は中心杭２の斜視図、図５は正面図、図６は平面図、図７は底面図、図８は側面図である。中心杭２は全体が角柱状であって、先端部９が先鋭に形成された杭である。そして、中心杭２の上端部１０は、図５のＡ−Ａ断面図である図１０に示すように断面四角形状であり、又長手方向の中間部１１は、図５のＢ−Ｂ断面図である図１１に示すように断面六角形状に形成されている。
【００１８】
よって、上端部１０の周部には、正面１０ａ，右側面１０ｂ，左側面１０ｃ，背面１０ｄの四面が形成されている（図１０参照）。また、中間部１１の周部には、正面１１ａ，背面１１ｆと、正面１１ａに隣接する第１の右側面１１ｂ及び第１の左側面１１ｄと、背面１１ｆに隣接する第２の右側面１１ｃ及び第２の左側面１１ｅの六面が形成されている（図１１参照）。
【００１９】
よって、図８に示すとおり右側面視において、第１の右側面１１ｂと第２の右側面１１ｃは相互に隣接することとなり、これらの第１の右側面１１ｂと第２の右側面１１ｃは、上端部１０の右側面１０ｂとは、異なる平面を形成している。同様に左側面視において、第１の左側面１１ｄと第２の左側面１１ｅは相互に隣接することとなり、これらの第１の左側面１１ｄと第２の左側面１１ｅは、上端部１０の左側面１０ｃとは、異なる平面を形成している。
【００２０】
一方、中間部１１の正面１１ａは上端部１０の正面１０ａと、又中間部１１の背面１１ｆは上端部１０の背面１０ｄと長手方向において連接し、連続した同一平面を構成している。また、先端部９は、中間部１１の正面１１ａ，背面１１ｆ，第１の右側面１１ｂ，第２の右側面１１ｃ，第１の左側面１１ｄ，第２の左側面１１ｅの六面と隣接する六面を有する六角錐状に形成されている。
【００２１】
中心杭２の製造に際しては、先端部９を有する断面四角形状の杭の上端部１０を断面四角形状に残したまま、中間部１１を断面略正六角形状に切削形成すればよい。中心杭２の材料としては、間伐材等を使用した木製杭とすることが適当であるが、他の素材で形成することを排除するものではない。
【００２２】
上記構成の中間部１１において、相互に隣接しない中間部周面である正面１１ａ，第２の右側面１１ｃ及び第２の左側面１１ｅを支持杭載置面として、各面にガイド部材６，７，８をそれぞれ固着する。図１４はガイド部材６，７，８を固着した中心杭２の斜視図、図１５は中心杭２の正面図、図１６は平面図、図１７は図１６のＥ方向（第２の右側面１１ｃ方向）からの矢視図、図１８は図１６のＦ方向（第２の左側面１１ｅ方向）からの矢視図、図１９（Ａ）はガイド部材６，７，８の正面図、図１９（Ｂ）は同側面図、図１９（Ｃ）は同平面図である。
【００２３】
ガイド部材６，７，８は支持杭３，４，５をガイドするための添え木であり、図１９（Ａ）に示すように正面視において平行四辺形の形状を有し、それぞれ上面６ａ，７ａ，８ａが平滑面として形成された立方体からなる。このガイド部材６，７，８をそれぞれの上面６ａ，７ａ，８ａが中心杭２から離反する方向で、かつ、中心杭２の先端部９と同一方向に所定角度で傾斜するように中心杭２の相互に隣接しない中間部周面である正面１１ａ，第２の右側面１１ｃ及び第２の左側面１１ｅの上方における所定位置にビス１２で固着する。
【００２４】
上記した構成のガイド部材６，７，８の上面６ａ，７ａ，８ａに沿って支持杭３，４，５をそれぞれ中心杭２の周部（具体的には正面１１ａ，第２の右側面１１ｃ及び第２の左側面１１ｅ）に案内して固着する。図２８（Ａ）は、支持杭３，４，５の正面図、図２８（Ｂ）は同平面図、図２８（Ｃ）は同底面図である。支持杭３，４，５はそれぞれ先端部３ａ，４ａ，５ａが先鋭に形成され、全体が角柱状であって、中心杭２より長尺の杭である。この支持杭３，４，５が支持地盤に至ることによって一体となって必要な支持力を得るものである。支持杭３，４，５も中心杭２と同様に間伐材等を使用した木製杭とすることが適当であるが、他の素材で形成することを排除するものではない。
【００２５】
次に支持杭３，４，５の中心杭２への配置及び固着方法について、支持杭３を例として説明する。図２０は支持杭３を中心杭２の中間部１１における正面１１ａに固着した状態を示す斜視図、図２１は同正面図、図２２は同右側面図、図２３は同平面図、図２４は図２１のＧ−Ｇ断面図である。中心杭２の中間部１１における正面１１ａに固着されたガイド部材６の上面６ａに支持杭３の下面を当接させた状態で、ガイド部材６の傾斜に沿って案内されて、支持杭３の先端部３ａが中心杭２から離反する方向で、かつ、中心杭２の先端部９と同一方向に所定角度で傾斜するように支持杭３を配置し、コーチスクリュー１３を使用して、中心杭２に固着する。このとき、支持杭３の先端部３ａは中心杭２の先端部９よりも延長された位置にある。即ち、図に示すように支持杭３はガイド部材６に沿って案内されて中心杭２の周部に固着される。
【００２６】
支持杭３の先端部３ａが中心杭２から離反する方向で、かつ、中心杭２の先端部９と同一方向とは、図３に示すように打設した中心杭２の平面視において、中心杭２から放射状の下向きの方向を意味するものである。具体的には、中心杭の長手方向に対して４５度以下、好ましくは図示例のように略３０度程度の配置角度とすることが好ましい。支持杭４，５についても同様である。なお、支持杭３，４，５の中心杭２の先端部９方向への配置角度をそれぞれ異なる角度とすることも可能である。
【００２７】
次に支持杭３と同様にして、図２６に示すように２本目の支持杭４を中心杭２の中間部１１における第２の右側面１１ｃに固着したガイド部材７に支持させて、支持杭４の先端部４ａが中心杭２の先端部９よりも延長された位置にあるように中心杭２の周部にコーチスクリュー１３で固着する。なお、図２６においては既に固着した１本目の支持杭３の図示は省略してある。その結果、支持杭４は中心杭２から離反する方向で、かつ、中心杭２の先端部９と同一方向に所定角度で斜設される。
【００２８】
更に、支持杭３と同様にして、図２７に示すように、３本目の支持杭５を中心杭２の中間部１１における第２の左側面１１ｅに固着したガイド部材８に支持させて、支持杭５の先端部５ａが中心杭２の先端部９よりも延長された位置にあるように中心杭２の周部にコーチスクリュー１３で固着する。なお、図２７においては既に固着した１本目の支持杭３及び２本目の支持杭４の図示は省略してある。その結果、支持杭５は中心杭２から離反する方向で、かつ、中心杭２の先端部９と同一方向に所定角度で斜設される。なお、支持杭３，４，５を固着するコーチスクリュー１３の位置は相互に高さ方向の位置を変えて干渉しないように固着するものである。
【００２９】
その結果、基礎杭１において支持杭３，４，５は図３に示すように、平面視において中心杭２の周部に放射状に等間隔で配置されることとなり、中心杭２を介して一体に結合される。
【実施例】
【００３０】
中心杭２として、図５，図６，図１１に示すように上端部１０の横寸法Ｗが１２０ｍｍ、縦寸法Ｈが１０５ｍｍの断面四角形状を有し、中間部１１が断面六角形状を有し、先端部９が先鋭に形成された全長Ｌが１０００ｍｍの杉の間伐材からなる木製杭を使用した。なお、図１１に示すように中間部１１における第２の右側面１１ｃの背面１１ｆ方向への傾斜角度αを３０度とした。また、中間部１１における第１の右側面１１ｂ及び第１の左側面１１ｄの正面１１ａ方向への傾斜角度、並びに第２の左側面１１ｅの背面１１ｆ方向への傾斜角度も３０度とした。その結果、上端部１０の長さＬ１は２２０ｍｍ、中間部１１及び先端部９の合計長さＬ２は７８０ｍｍ、中間部１１における正面１１ａ及び背面１１ｆの横寸法Ｗ１は６０ｍｍ、第１の右側面１１ｂ，第２の右側面１１ｃ，第１の左側面１１ｄ，第２の左側面１１ｅの平面視における横寸法Ｗ２，Ｗ３はそれぞれ３０ｍｍ、第１の右側面１１ｂ，第２の右側面１１ｃ，第１の左側面１１ｄ，第２の左側面１１ｅの平面視における縦寸法Ｈ１，Ｈ２はそれぞれ５２．５ｍｍである。
【００３１】
ガイド部材６，７，８は図１９に示すように、側面視において横寸法Ｗ４が３５ｍｍ、縦寸法Ｈ３が３５ｍｍの断面形状を有する全長Ｌ３が２１０ｍｍで、正面視において右端部の底面に対する傾斜角度βを３０度とした杉の間伐材からなる木製の添え木を使用した。なお、正面視において、左端部の上面６ａ，７ａ，８ａに対する傾斜角度γも３０度とした。
【００３２】
支持杭３，４，５は図２８に示すように横寸法Ｗ５が７５ｍｍ、縦寸法Ｈ４が７５ｍｍの断面形状を有し、先端部が先鋭に形成された全長Ｌ４が１５００ｍｍの杉の間伐材からなる木製杭を使用した。これらの中心杭２，支持杭３，４，５，ガイド部材６，７，８の寸法は設置地盤の地質調査に基づいて支持力を計算して決定されるものであり、上記した寸法や材質に限定されるものではない。
【００３３】
次に、かかる基礎杭１を使用した杭基礎の構造について説明する。先ず設置地盤の地質調査を行い、基礎杭１の支持力を計算し、杭長等のサイズを決定する。そして、設置場所において中心杭２の打設位置を決定して、ガイド部材６，７，８を所定の位置に固着した図１８に示す状態の中心杭２をモンケン等にて鉛直方向に所定深さまで打設する。次に図２０から図２３に示すようにガイド部材６に沿って案内された支持杭３を電動ハンマー等を使用して順次中心杭２の周部（具体的には正面１１ａ）に打設し、その上端部を図２４，図２５に示すようにコーチスクリュー１３で中心杭２の中間部１１における正面１１ａに固着する。次に支持杭３と同様の手順でガイド部材７，８に沿って案内された支持杭４，５を電動ハンマー等を使用して順次中心杭２の周部に打設し、その上端部をコーチスクリュー１３で中心杭２の中間部１１における第２の右側面１１ｃ，第２の左側面１１ｅに固着する。
【００３４】
これにより、図１〜図３に示すように基礎杭１を設置した杭基礎が設置地盤の所定の位置に完成する。この杭基礎において、支持杭３，４，５は先端部が中心杭２から離反する方向で、かつ、中心杭の先端部９と同一方向に向けて斜設され、この３本の支持杭３，４，５によって必要な支持力が得られる。なお、中心杭２は鉛直方向に打設することが基本であるが、これに限らず設置地盤の状況によっては所定の角度で傾斜させて打設することも可能である。
【００３５】
図２９から図３２は本発明にかかる杭基礎を使用して公園内の湿地帯に木道１４を構築した例を示すものである。図に示すように木道の設置場所において木道の幅方向両端部となる位置に一定間隔で基礎杭１からなる杭基礎を２列に設置し、対抗する基礎杭１の間に横桟１５を適宜のボルトで固着し、横桟１５を利用して長手方向に縦桟１６を配置し、縦桟１６を利用して踏板１７を架橋して木道１４とする。
【産業上の利用可能性】
【００３６】
本発明にかかる基礎杭及び杭基礎の構造によれば沼地や湿地帯などの軟弱地盤における各種の簡易構造物の基礎として、重機を使用することなく現場での施工が容易であって、自然環境に与える負荷を最小限にとどめるとともに、安定した支持力を得ることができる。
【符号の説明】
【００３７】
１…基礎杭
２…中心杭
３，４，５…支持杭
６，７，８…ガイド部材
９…先端部
１０…上端部
１１…中間部
１１ａ…正面
１１ｂ…第１の右側面
１１ｃ…第２の右側面
１１ｄ…第１の左側面
１１ｅ…第２の左側面
１２…ビス
１３…コーチスクリュー
【図１】
2010248762.tif 000003
【図２】
2010248762.tif 000004
【図３】
2010248762.tif 000005
【図４】
2010248762.tif 000006
【図５】
2010248762.tif 000007
【図６】
2010248762.tif 000008
【図７】
2010248762.tif 000009
【図８】
2010248762.tif 000010
【図９】
2010248762.tif 000011
【図１０】
2010248762.tif 000012
【図１１】
2010248762.tif 000013
【図１２】
2010248762.tif 000014
【図１３】
2010248762.tif 000015
【図１４】
2010248762.tif 000016
【図１５】
2010248762.tif 000017
【図１６】
2010248762.tif 000018
【図１７】
2010248762.tif 000019
【図１８】
2010248762.tif 000020
【図１９】
2010248762.tif 000021
【図２０】
2010248762.tif 000022
【図２１】
2010248762.tif 000023
【図２２】
2010248762.tif 000024
【図２３】
2010248762.tif 000025
【図２４】
2010248762.tif 000026
【図２５】
2010248762.tif 000027
【図２６】
2010248762.tif 000028
【図２７】
2010248762.tif 000029
【図２８】
2010248762.tif 000030
【図２９】
2010248762.tif 000031
【図３０】
2010248762.tif 000032
【図３１】
2010248762.tif 000033
【図３２】
2010248762.tif 000034